(57)【特許請求の範囲】
【請求項１】
原稿に接触するスリットガラスと、
前記スリットガラスを支持する支持部材と、
前記スリットガラスを通して原稿を照明する光源と、
前記原稿からの反射光を読取る読取り手段とを備えた画像読取装置において、
前記支持部材の長手方向一端部を、該一端部が前記支持部材の長手方向および短手方向に移動しないよう筺体に固定する第１の固定手段と、
前記支持部材の長手方向他端部を、該他端部が前記支持部材の長手方向に移動できるよう前記筺体に固定する第２の固定手段とを備え、
前記支持部材が、前記支持部材の長手方向の前記他端部において前記支持部材の短手方向に分割され、
前記支持部材の長手方向の他端部における短手方向に分割された一方が前記第２の固定手段により固定され、
前記支持部材の長手方向の他端部における短手方向に分割された他方が前記第１の固定手段により固定され、
前記支持部材の長手方向の一端部が前記第１の固定手段により固定されたことを特徴とする画像読取装置。
【請求項２】
原稿に接触するスリットガラスと、
前記スリットガラスを支持する支持部材と、
前記スリットガラスを通して原稿を照明する光源と、
前記原稿からの反射光を読取る読取り手段とを備えた画像読取装置において、
前記支持部材の長手方向一端部を、該一端部が前記支持部材の長手方向および短手方向に移動しないよう筺体に固定する第１の固定手段と、
前記支持部材の長手方向他端部を、該他端部が前記支持部材の長手方向に移動できるよう前記筺体に固定する第２の固定手段とを備え、
前記支持部材が、前記支持部材の長手方向の前記他端部および前記一端部において前記支持部材の短手方向に分割され、
前記支持部材の長手方向の他端部における短手方向に分割された一方が前記第２の固定手段により固定され、
前記支持部材の長手方向の他端部における短手方向に分割された他方が前記第１の固定手段により固定され、
前記支持部材の長手方向の一端部の短手方向に分割された一方および他方がそれぞれ前記第１の固定手段により固定されたことを特徴とする画像読取装置。
【請求項３】
原稿に接触するスリットガラスと、
前記スリットガラスを支持する支持部材と、
前記スリットガラスを通して原稿を照明する光源と、
前記原稿からの反射光を読取る読取り手段とを備えた画像読取装置において、
前記支持部材の長手方向一端部を、該一端部が前記支持部材の長手方向および短手方向に移動しないよう筺体に固定する第１の固定手段と、
前記支持部材の長手方向他端部を、該他端部が前記支持部材の長手方向に移動できるよう前記筺体に固定する第２の固定手段とを備え、
前記支持部材が、前記支持部材の短手方向に分割され、
前記支持部材の短手方向に分割された一方のうち長手方向の他端部が前記第２の固定手段により固定され、
前記支持部材の短手方向に分割された一方のうち長手方向の一端部が前記第１の固定手段により固定され、
前記支持部材の短手方向に分割された他方のうち長手方向の他端部が前記第１の固定手段により固定され、
前記支持部材の短手方向に分割された他方のうち長手方向の一端部が前記第１の固定手段により固定されたことを特徴とする画像読取装置。
【請求項４】
前記第２の固定手段が、前記筺体に形成され前記支持部材の長手方向に長径を有する長円形状の係合穴と、前記支持部材に形成され前記係合穴に係合する係合突起とから構成されることを特徴とする請求項１乃至請求項３の何れかに記載の画像読取装置。
【請求項５】
請求項１〜請求項４の何れかに記載の画像読取装置を備えたことを特徴とする画像形成装置。
【発明の詳細な説明】
【技術分野】
【０００１】
本発明は、画像読取装置および画像形成装置に関し、例えば、スキャナー装置等の画像読取装置およびこの画像読取装置を搭載した複写機、ファクシミリ装置等の画像形成装置に関する。
【背景技術】
【０００２】
従来、この種の画像読取装置および画像形成装置としては、原稿と接触するスリットガラスと、原稿を照明する光源と、原稿からの反射光を受光する撮像素子と、を備え、撮像素子により受光した光を電気信号に変換するようにしたものが知られている（例えば、特許文献１参照）。
【０００３】
図１５は、従来の画像読取装置のスリットガラスの斜視図である。図１５に示すように、従来の画像読取装置においては、スリットガラス２２１を金属製の支持部材２２３により支持し、この支持部材２２３の長手方向両端部をネジ２２４、２２５により筺体２２６に固定するようになっている。また、スリットガラス２２１の上面に接するように搬送される原稿に対して光源２０２が一定位置で照明を行うようになっている。
【０００４】
また、近年の画像読取装置においては、読取り速度の高速化、高画質化等の要望を満足させるために光源２０２の光量を増大することが求められている。
【特許文献１】特開２００７−６７８８１号公報
【発明の開示】
【発明が解決しようとする課題】
【０００５】
しかしながら、このような従来の画像読取装置および画像形成装置にあっては、光源２０２の消灯時または光源２０２の点灯直後の平温時は、図１６（ａ）に示すように、スリットガラス２２１が直線状態を維持しているが、光源２０２の発熱によりスリットガラス２２１および支持部材２２３が高温となった場合には、図１６（ｂ）に示すように、支持部材２２３が膨張により上方に凸形状に変形してスリットガラス２２１が浮き上るため、原稿の読取り位置がズレたり読取り光学系の経路長が延びてしまったり、図１６（ｃ）に示すように、支持部材２２３が膨張により下方に凸形状に変形することにより、光源２０２または光源２０２を支持する図示しないキャリッジに支持部材２２３が接触してしまうという問題があった。
【０００６】
本発明はこのような問題を解決するためになされたもので、スリットガラスを支持する支持部材が光源の発する熱により変形することを防止することができる画像読取装置および画像形成装置を提供するものである。
【課題を解決するための手段】
【０００７】
本発明に係る画像読取装置は、原稿に接触するスリットガラスと、前記スリットガラスを支持する支持部材と、前記スリットガラスを通して原稿を照明する光源と、前記原稿からの反射光を読取る読取り手段とを備えた画像読取装置において、前記支持部材の長手方向一端部を、該一端部が前記支持部材の長手方向および短手方向に移動しないよう筺体に固定する第１の固定手段と、前記支持部材の長手方向他端部を、該他端部が前記支持部材の長手方向に移動できるよう前記筺体に固定する第２の固定手段とを備えたことを特徴とする。
【０００８】
この構成により、スリットガラスを支持する支持部材の長手方向一端部を、第１の固定手段により、該一端部が前記支持部材の長手方向および短手方向に移動しないよう筺体に固定し、支持部材の長手方向他端部を、第２の固定手段により、該他端部が支持部材の長手方向に移動できるよう筺体に固定したので、光源の発する熱により支持部材の温度が上昇し熱膨張した際に、支持部材の長手方向他端部が長手方向に移動することができるため、支持部材が湾曲して凸形状となることがない。したがって、スリットガラスを支持する支持部材が光源の発する熱により変形することを防止することができる。また、支持部材が湾曲して凸形状となることがないため、支持部材が周辺の他の部材に接触したり、スリットガラスの位置がずれることを防止することができる。
【０００９】
また、本発明に係る画像読取装置は、前記第２の固定手段が、前記筺体に螺合する段付ネジと、前記支持部材に設けられ、前記支持部材の短手方向における幅が前記段付ネジの外径と略等しく形成されるとともに前記支持部材の長手方向における幅が前記段付ネジの外径よりも大きく形成された前記段付ネジの挿通孔とから構成されることを特徴とする。
【００１０】
この構成により、支持部材の長手方向における段付ネジの挿通孔の幅が段付ネジの外径よりも大きく形成されているので、支持部材が光源の熱により長手方向に膨張しても、支持部材の長手方向他端部が移動することができ、支持部材の短手方向における段付ネジの挿通孔の幅が段付ネジの外径と略等しく形成されているので、支持部材の短手方向の位置を一定に保つことができるので、支持部材の位置を一定に保つことができるとともに、支持部材が光源の発する熱により変形することを防止することができる。
【００１１】
また、本発明に係る画像読取装置は、前記支持部材が金属からなることを特徴とする。
【００１２】
この構成により、支持部材が金属からなるので、支持部材を樹脂等から構成した場合よりも、熱による膨張および塑性変形を少なくすることができる。
【００１３】
また、本発明に係る画像読取装置は、前記支持部材が、前記支持部材の長手方向の一端部または両端部において前記支持部材の短手方向に分割されたことを特徴とする。
【００１４】
この構成により、分割した支持部材のうち光源に近い側と光源から遠い側との間の温度差により、支持部材が変形することを防止することができる。
【００１５】
また、本発明に係る画像読取装置は、前記第２の固定手段が、前記分割された支持部材の前記光源に近い側に配置されたことを特徴とする。
【００１６】
この構成により、光源からの熱による膨張するのは、分割した支持部材のうち光源に近い側であるが、光源に近い側の支持部材の長手方向他端部が第２の固定手段により移動することができるので、支持部材が変形することを防止することができる。
【００１７】
また、本発明に係る画像形成装置は、上記の画像読取装置を備えたものから構成されている。
【００１８】
この構成により、スリットガラスを支持する支持部材が光源の発する熱により変形することを防止することができる。
【発明の効果】
【００１９】
本発明によれば、スリットガラスを支持する支持部材が光源の発する熱により変形することを防止することができる画像読取装置および画像形成装置を提供することができる。
【発明を実施するための最良の形態】
【００２０】
以下、本発明の実施の形態について、図面を参照して説明する。
【００２１】
（第１の実施の形態）
図１は、本発明の第１の実施の形態に係る画像読取装置および画像形成装置の概略構成図である。また、図２は、本発明の第１の実施の形態に係る画像読取装置および画像形成装置のＡＤＦの概略構成図である。また、図３は、本発明の第１の実施の形態に係る画像読取装置および画像形成装置の駆動系のブロック図である。なお、画像形成装置としては、スキャナー装置等の画像読取装置を搭載した複写機、ファクシミリ装置、複写機能とファクシミリ機能等を備えた複合機等の画像形成装置に適用することができるものであり、本実施の形態では、複写機を例に説明を行う。
【００２２】
まず、構成について説明する。
【００２３】
図１、図２に示すように、複写機２０の筺体である本体２１の上面にはコンタクトガラス２２が設けられており、このコンタクトガラス２２に隣接する本体２１の上面にはコンタクトガラス２２よりも小面積のスリットガラス１３１が設けられている。なお、スリットガラス１３１は、シートスルーＤＦ用コンタクトガラスと称されたり、または単にコンタクトガラスと称されることもある。
【００２４】
また、本体２１の上部には自動用紙搬送装置としてのＡＤＦ２３が設けられており、このＡＤＦ２３は図示しないヒンジ機構を介してコンタクトガラス２２を開放および閉塞するように開閉自在になっている。ここで、コンタクトガラス２２は、コンタクトガラス２２上に載置され停止した状態の原稿を読取るためのものである。一方、スリットガラス１３１は、ＡＤＦ２３によって搬送される原稿を読取るためのものである。
【００２５】
また、ＡＤＦ２３は、積層原稿からなる原稿束Ｐが原稿面を上向きにして載置される原稿テーブル２４と、原稿テーブル２４に載置された原稿束Ｐから原稿を一枚ずつ分離して給紙する分離給紙部２５と、給紙された原稿を突き当て整合してスキューの矯正を行うとともに、整合後の原稿を引き出して搬送するレジスト部２６と、搬送される原稿を反転させて、原稿面をスリットガラス１３１側に向けて搬送するターン部２７と、原稿の表面画像をコンタクトガラス２２の下方に設けられた図示しない後述する読取部により読取りを行わせる第１読取搬送部２８と、読取り終了後の原稿の裏面画像を読取る第２読取搬送部２９と、表裏の読取りが完了した原稿をＡＤＦ２３機外に排出する排紙部３０と、読取り完了後の原稿を積載保持するスタック部３１とを備えている。
【００２６】
また、ＡＤＦ２３は、図３に示すように、搬送動作を含む種々の駆動を行うピックアップモータ１０１、給紙モータ１０２、読取モータ１０３、排紙モータ１０４および底板上昇モータ１０５と、ＡＤＦ２３の一連の動作を制御するコントローラ１００とを備えている。
【００２７】
原稿テーブル２４のテーブル面には原稿の長さを検知する原稿長さ検知センサ３２、３３が設けられており、この原稿長さ検知センサ３２、３３は反射型センサ、または、１枚の原稿でも検知可能なアクチェータータイプのセンサ等から構成され、原稿の搬送方向長さを検知して検知信号をコントローラ１００に出力するようになっている。したがって、原稿長さセンサ３２、３３は少なくとも同一原稿サイズの縦か横かを判断可能なように原稿テーブル２４のテーブル面に配置されている。
【００２８】
また、原稿テーブル２４の先端（原稿の搬送方向下流側）には可動テーブル３４が設けられている。可動テーブル３４は底板上昇モータ１０５によって矢印ａ−ｂで示すように上下動するようになっている。
【００２９】
また、原稿テーブル２４には図示しないサイドガイドが設けられており、このサイドガイドによって原稿束Ｐの幅方向（原稿の搬送方向と直行する方向）の位置決めが行われるようになっている。
【００３０】
また、可動テーブル３４の近傍にはセットフィラー３５および原稿セットセンサ３６が設けられている。セットフィラー３５は、原稿テーブル２４に原稿束Ｐが載置されたときに破線で示す位置から実線で示す位置に移動し、原稿セットセンサ３６は、セットフィラー３５を検知した状態から未検知状態に変化すると、コントローラ１００に信号を出力するようになっている。この信号がＩ／Ｆ１０７を介してコントローラ１００から本体２１の本体制御部１１１に出力されると、本体２１側では原稿の読取りを行うための待機状態に移行するようになっている。
【００３１】
また、コントローラ１００は、原稿セットセンサ３６からの検知信号に基づいて原稿テーブル２４に原稿束Ｐが載置されたことを判断したときに、底板上昇モータ１０５を上昇させ、原稿束Ｐの最上面をピックアップローラ３７に接触させるようになっている。
【００３２】
ピックアップローラ３７は、ピックアップモータ１０１からの駆動力が図示しないカム機構を介して伝達されるとともに、ピックアップモータ１０１およびカム機構により矢印ｃ−ｄで示すように原稿束Ｐの上面に接触する位置と待避する位置の間で上下移動するようになっている。
【００３３】
また、可動テーブル３４の上方にはテーブル上昇センサ３８が設けられている。テーブル上昇センサ３８は、可動テーブル３４が矢印ｃ方向に上昇してピックアップローラ３７が上昇すると、ピックアップローラ３７の位置を検知することにより、上昇可能な上限を検知するようになっている。
【００３４】
また、本体２１側に設けられた操作部１０８のプリントキーが押下され、Ｉ／Ｆ１０７を介して本体制御部１１１からコントローラ１００に原稿給紙信号が送信されると、ピックアップローラ３７は、給紙モータ１０２の正転により回転駆動し、原稿テーブル２４上の数枚（理想的には１枚）の原稿を給紙するようになっている。
【００３５】
この給紙された原稿は、ピックアップローラ３７の下流側に設けられた給紙ベルト３９およびリバースローラ４０からなる分離給紙手段に搬送されるようになっている。
【００３６】
給紙ベルト３９は、給紙モータ１０２の正転駆動により給紙方向（時計方向）に回転駆動されるようになっている。リバースローラ４０は、内蔵された図示しないトルクリミッタの働きにより、給紙モータ１０２が正転駆動したときには、給紙方向と逆方向（時計方向）に回転駆動されるようになっている。このため、ピックアップローラ３７が数枚の原稿をピックアップした場合であっても、最上位の原稿とその下の原稿が分離されて、最上位の原稿のみが給紙される。
【００３７】
具体的には、リバースローラ４０は、給紙ベルト３９と予め設定された圧力で接しており、給紙ベルト３９と直に接触しているとき、または原稿１枚を介して接している状態では給紙ベルト３９の回転につられて反時計方向に連れ回りし、原稿が万が一２枚以上給紙ベルト３９とリバースローラ４０の間に進入した時は、連れ回り力がトルクリミッタの設定トルクよりも低くなり、本来の駆動方向である時計方向に回転し、余分な原稿を押し戻して重送を防止するようになっている。給紙ベルト３９とリバースローラ４０の作用により１枚に分離された原稿は給紙ベルト３９によって搬送されるようになっている。
【００３８】
給紙ベルト３９の下流側には突き当てローラ４１が設けられている。突き当てローラ４１は、駆動ローラ４１ａおよび従動ローラ４１ｂから構成され、給紙モータ１０２により回転駆動されるようになっている。
【００３９】
突き当てローラ４１は、給紙ベルト３９とリバースローラ４０の作用により１枚に分離された原稿に対してスキューの矯正をするとともに、スキュー補正した原稿をさらに下流側に搬送するようになっている。
【００４０】
すなわち、原稿の給紙時には給紙モータ１０２が停止しているため、突き当てローラ４１も停止した状態となっており、分離された原稿の先端は、突き当てローラ４１の上流側に設けられた突き当てセンサ４２によって検知された後、突き当てローラ４１に突き当てられるようになっている。
【００４１】
そして、突き当てセンサ４２が原稿の先端を検知してコントローラ１００に信号を出力すると、コントローラ１００は、突き当てセンサ４２の検知から予め定められた距離だけ給紙モータ１０２を駆動して給紙ベルト３９を周回移動させ、予め定められた一定量の撓みを持って原稿が突き当てローラ４１に押し当てられた状態にするようになっている。
【００４２】
また、コントローラ１００は、給紙モータ１０２の停止前にピックアップモータ１０１を回転させて、ピックアップローラ３７を原稿束Ｐの上面から退避させるようになっている。このとき、原稿が給紙ベルト３９の搬送力のみで送られることにより、原稿の先端が突き当てローラ４１の駆動ローラ４１ａおよび従動ローラ４１ｂのニップに進入して原稿のスキューが矯正される。
【００４３】
また、コントローラ１００は、スキューの矯正後に給紙モータ１０２を逆転駆動するようになっている。このとき、給紙モータ１０２によって突き当てローラ４１が回転駆動され、分離された原稿が中間ローラ４３に搬送される。中間ローラ４３は、駆動ローラ４３ａおよび従動ローラ４３ｂから構成されており、給紙モータ１０２によって駆動されるようになっている。
【００４４】
なお、給紙モータ１０２が逆転駆動されたとき、給紙モータ１０２の駆動力は、突き当てローラ４１と中間ローラ４３に伝達されるが、ピックアップローラ３７と給紙ベルト３９には伝達されないようになっている。
【００４５】
また、突き当てローラ４１の下流側には原稿幅センサ４４が設けられている。原稿幅センサ４４は、図２の手前側から奥側に複数個設けられ、搬送された原稿を検知してコントローラ１００に信号を出力するようになっている。コントローラ１００は、原稿幅センサ４４からの信号に基づいて原稿の幅方向（搬送方向に直行する方向）のサイズを検知するようになっている。
【００４６】
また、原稿の搬送方向の長さは、原稿の突き当てセンサ４２からの検知信号に基づいてコントローラ１００が検知するようになっている。すなわち、突き当てセンサ４２が原稿の先端を検知してＯＮになり、その後、突き当てセンサ４２が原稿の後端を検知してＯＦＦになったときの給紙モータ１０２のパルス信号をコントローラ１００により計数することにより、原稿の長さが検知される。
【００４７】
また、中間ローラ４３の下流側には読取入口ローラ４５が設けられている。読取入口ローラ４５は、駆動ローラ４５ａおよび従動ローラ４５ｂから構成され、読取モータ１０３によって駆動される。
【００４８】
また、スリットガラス１３１の上面には、搬送される原稿をガイドするように断面略Ｕ字状に形成された白色の背景板４７が設けられている。
【００４９】
背景板４７の下流側には読取出口ローラ４８が設けられている。読取出口ローラ４８は、駆動ローラ４８ａおよび従動ローラ４８ｂから構成されている。
【００５０】
また、読取出口ローラ４８の下流側には第２読取ローラ４９が設けられている。第２読取ローラ４９は、駆動ローラから構成されている。また、第２読取ローラ４９の下流側には読取出口ローラ５０が設けられている。読取出口ローラ５０は、駆動ローラ５０ａおよび従動ローラ５０ｂから構成されている。読取入口ローラ４５、読取出口ローラ４８、第２読取ローラ４９および読取出口ローラ５０は、読取モータ１０３によって駆動されるようになっている。
【００５１】
また、第２読取ローラ４９の上方にはＣＣＤまたはＣＩＳ等のイメージセンサ５１が設けられている。イメージセンサ５１は、原稿の他方の面を読取るようになっている。
【００５２】
また、中間ローラ４３の下流側には入口センサ４６が設けられている。入口センサ４６は、原稿の先端を検知するとコントローラ１００に信号を出力するようになっている。
【００５３】
コントローラ１００は、入口センサ４６から信号が入力されると、読取入口ローラ４５の駆動ローラ４５ａおよび従動ローラ４５ｂのニップに原稿の先端が進入する前に原稿搬送速度を読取搬送速度と同速にするために、給紙モータ１０２の減速を開始するのと同時に、読取モータ１０３を正転駆動して中間ローラ４３を読取モータ１０３側の駆動系に接続するとともに、読取入口ローラ４５、読取出口ローラ４８、第２読取ローラ４９を駆動するようになっている。
【００５４】
また、突き当てローラ４１および中間ローラ４３の駆動によりレジスト部２６からターン部２７に原稿が搬送される際に、レジスト部２６での搬送速度を第１読取搬送部２８での搬送速度よりも高速に設定することにより、原稿をスリットガラス１３１に送り込む処理時間の短縮を図るとともに、原稿の紙間距離を短縮するようになっている。
【００５５】
読取入口ローラ４５の下流側にはレジストセンサ７１が設けられている。レジストセンサ７１は、原稿の先端を検知してコントローラ１００に信号を出力するようになっている。
【００５６】
コントローラ１００は、レジストセンサ７１から信号が入力されると、給紙モータ１０２を予め定められた搬送距離をかけて減速させて、スリットガラス１３１の手前で原稿を一時停止させるとともに、Ｉ／Ｆ１０７を介して本体制御部１１１にレジスト停止信号を送信するようになっている。また、コントローラ１００は、本体制御部１１１から読取開始信号を受信すると、レジスト停止していた原稿の先端がスリットガラス１３１に到達するまでに予め定められた搬送速度に立ち上がるように読取モータ１０３を増速して中間ローラ４３および読取入口ローラ４５により原稿を搬送させるようになっている。
【００５７】
原稿の先端がレジストセンサ７１に到達するより前にコントローラ１００が読取開始信号を受信した場合は、レジスト非停止読取動作となり、レジスト非停止読取動作においては、レジスト停止が行われず、読取搬送速度が維持されたまま読取りが行われるようになっている。
【００５８】
また、読取モータ１０３のパルスカウントにより算出された原稿の先端がスリットガラス１３１に到達するタイミングで、原稿表面の副走査方向有効画像領域を示すゲート信号が本体制御部１１１に対して出力されるようになっている。ゲート信号は、原稿の後端がスリットガラス１３１を抜けるまで継続して出力される。
【００５９】
片面原稿読取りの場合には、スリットガラス１３１を通過した原稿は、第２読取搬送部２９を経て排紙部３０に搬送されるようになっている。この際、排紙センサ７４が原稿の先端を検知すると、排紙モータ１０４の正転駆動により排紙ローラ７３が反時計方向に回転するようになっている。
【００６０】
また、コントローラ１００は、原稿の先端を排紙センサ７４により検知してから排紙モータ１０４のパルスをカウントし、排紙ローラ７３の駆動ローラ７３ａおよび従動ローラ７３ｂのニップから原稿の後端が抜ける直前に排紙モータ１０４の駆動速度を減速させることにより、排出される原稿がスタック部３１の外に飛び出さないようにしている。
【００６１】
一方、両面原稿読取りの場合には、コントローラ１００により、排紙センサ７４で原稿の先端を検知してからの読取モータ１０３のパルスがカウントされるとともに、読取モータ１０３のパルスカウントにより算出された原稿の先端がスリットガラス１３１に到達するタイミングで、原稿表面の副走査方向有効画像領域を示すゲート信号がイメージセンサ５１に対して出力されるようになっている。ゲート信号は、原稿の後端がイメージセンサ５１を抜けるまで継続して出力される。
【００６２】
なお、第２読取ローラ４９は白色となっている。これは、第２読取ローラ４９がイメージセンサ５１においてシェーディングデータを取得するための基準白部として供されるためである。また、イメージセンサ５１の下方には第２読取ローラ４９が設けられている。これは、イメージセンサ５１による読取り時に原稿の浮きを抑えるためである。
【００６３】
複写機２０の本体２１内には、図２に示すように、キセノンランプやハロゲンランプ等からなる円筒形状の光源７７、反射ミラー７８ａ〜７８ｃ、集光レンズ７９、ＣＣＤ等のイメージセンサ８０からなる読取り部８１が設けられており、この読取り部８１によって読取られた画像情報は書込部８２によって感光体ドラム８３に照射されるようになっている。光源７７は、原稿面での照度分布を良好なものにするためのリフレクタ７７ａを備えている。なお、光源７７としては、キセノンランプやハロゲンランプに限らず、蛍光灯を用いることもできる。読取り部８１、スリットガラス１３１、フレーム１３２は、本発明における画像読取装置を構成している。
【００６４】
図４は、本発明の第１の実施の形態に係る画像読取装置および画像形成装置の画像形成部の構成図である。
【００６５】
図４に示すように、感光体ドラム８３の周囲には、感光体ドラム８３とともに画像形成手段を構成する帯電装置８４と、レーザダイオード等から構成される書込部８２と、電位センサ８５と、現像装置８６と、転写ベルト８７と、クリーニング装置８８と、ＬＥＤ（Ｌｉｇｈｔ  Ｅｍｉｔｔｉｎｇ  Ｄｉｏｄｅ）等から構成される除電装置８９とが設けられている。帯電装置８４は暗中においてプラス電荷のコロナ放電をグリッドにより制御して感光体ドラム８３の表面を一定電位に帯電させるようになっている。
【００６６】
書込部８２は、一定電位に帯電された感光体ドラム８３上に画像情報を含んだレーザダイオードを照射することにより、感光体ドラム８３上のマイナス電荷を除去して静電潜像を形成するようになっている。電位センサ８５は、感光体ドラム８３上の電位を測定してプロセスコントロールによって補正を行うようになっている。
【００６７】
現像装置８６は、感光体ドラム８３上の電気除去された部分にマイナスに帯電されたトナーを付着させて可視像を形成するようになっている。転写ベルト８７は、プラスのバイアスが印加されており、マイナスに帯電された可視像を記録紙（記録媒体）に転写して搬送するようになっている。
【００６８】
クリーニング装置８８は、クリーニングブレード８８ａを備えており、感光体ドラム８３に残ったトナーをクリーニングブレード８８ａにより掻き落とすようになっている。除電装置８９は、ＬＥＤを点灯させることにより感光体ドラム８３の残留電荷を除去して、次の記録紙に新たな画像を形成するための準備を行うものである。
【００６９】
これら一連の動作によりトナー画像が形成された記録紙は、定着装置９０に搬送され、定着装置９０において、熱と圧力によりトナー画像が記録紙に定着される。
【００７０】
また、図１に示すように、本体２１内にはそれぞれ異なるサイズの記録紙Ｓ1〜Ｓ５が収納された収納カセット９１〜９５が設けられている。収納カセット９１〜９５に収納された記録紙は、呼出しローラ９１ａ〜９５ａによって給紙された後、搬送方向に回転する給紙ローラ９１ｂ〜９５ｂおよび給紙ローラ９１ｂ〜９５ｂに摺接し、分離阻止方向に回転するリバースローラ９１ｃ〜９５ｃによって分離された後、中継ローラ対９６、９７を介してレジストローラ対９８に搬送され、レジストローラ対９８によってタイミングを取られて感光体ドラム８３と転写ベルト８７の間の搬送路に搬送されるようになっている。
【００７１】
図５は、本発明の第１の実施の形態に係る画像読取装置および画像形成装置の読取り部の構成図である。また、図６は、本発明の第１の実施の形態に係る画像読取装置および画像形成装置の読取り部の拡大図である。
【００７２】
図５、図６に示すように、光源７７および反射ミラー７８ａは、第１キャリッジ１２１に搭載されているとともに、反射ミラー７８ｂ、７８ｃは第２キャリッジ１２２に搭載されており、これら第１キャリッジ１２１および第２キャリッジ１２２は駆動ワイヤ１２３に固定されている。
【００７３】
駆動ワイヤ１２３は、従動プーリ１２４ａ、１２４ｂに支持されているとともに、その一端部が本体２１に固定され、その他端部がテンションスプリング１２５を介して本体２１に固定されている。
【００７４】
また、駆動ワイヤ１２３の一部は駆動プーリ１２６に巻回されており、この駆動プーリ１２６は駆動伝達ベルト１２７を介して駆動モータ１２８のモータ軸に接続されている。
【００７５】
コントローラ１００は、コンタクトガラス２２にブック原稿が載置されたときには、駆動モータ１２８を駆動し、駆動伝達ベルト１２７および駆動プーリ１２６を介して駆動ワイヤ１２３を従動プーリ１２４ａ、１２４ｂに対して周回移動することにより、第１キャリッジ１２１および第２キャリッジ１２２を図示しないレールに沿ってコンタクトガラス２２と平行に移動させ、光源７７および反射ミラー７８ａ、７８ｂ、７８ｃをコンタクトガラス２２の下方で移動する第１の読取りモードに設定するようになっている。ここで、ブック原稿とは、製本された原稿を開いた状態にしたものである。
【００７６】
第１の読取りモードにおいては、第１キャリッジ１２１および第２キャリッジ１２２は、図６に実線で示すホームポジションから破線で示す位置を通って更に右方向に移動し、読取りの終了後にホームポジションに復帰するようになっている。なお、第１キャリッジ１２１と第２キャリッジ１２２は、２：１の速度で原稿に沿って右方向に移動する。すなわち、第２キャリッジ１２２は、第１キャリッジ１２１の１／２の速度で移動する。
【００７７】
また、コントローラ１００は、ＡＤＦ２３によって搬送される原稿をスリットガラス１３１上で読取る第２の読取りモードにおいては、第１キャリッジ１２１および第２キャリッジ１２２を、図６に実線で示すように、スリットガラス１３１の下方のホームポジションで停止させ、光源７７および反射ミラー７８ａ、７８ｂ、７８ｃをスリットガラス１３１の下方で固定して原稿の読取りを行わせるようになっている。
【００７８】
スリットガラス１３１に隣接するコンタクトガラス２２の端部上面には、白基準部材としての白基準板７５が設けられている。白基準板７５は、読取り部８１によって原稿を読取る際の白レベル基準データの取得および読取り部８１の特性ムラの補正（シェーディング補正）に用いられる。
【００７９】
コントローラ１００は、駆動機構１０９を駆動して読取り部８１をスリットガラス１３１の読取位置から白基準板７５側に移動させて白基準板７５を読取らせた後、スリットガラス１３１の読取位置で原稿の画像を読取らせ、読取った画像データを本体制御部１１１に転送するようになっている。
【００８０】
本体制御部１１１は、ＣＰＵ、ＲＯＭ、ＲＡＭ等から構成されており、ＡＤＦ２３によってスリットガラス１３１に搬送される原稿を読取る前に、白基準板７５を読取って読取り部８１の特性ムラの補正（シェーディング補正）をするようになっている。
【００８１】
ここで、シェーディング補正とは、原稿の読取りに先立って白基準板７５を読取り、各画素のシェーディング補正用の白データとして白レベル基準データを取得し、この取得した白基準データに基づいてシェーディング補正データを生成し、この補正データを用いて読取った原稿の画像データに対して補正演算を行い、画像データを正規化する処理のことである。
【００８２】
図７は、本発明の第１の実施の形態に係る画像読取装置および画像形成装置のスリットガラスの斜視図である。また、図８は、本発明の第１の実施の形態に係る画像読取装置および画像形成装置のスリットガラスの端部の拡大図である。
【００８３】
図７、図８に示すように、スリットガラス１３１は、金属製のフレーム１３２に支持されている。具体的には、スリットガラス１３１は、スリットガラス１３１の面積よりも僅かに小さな開口部を有する金属製のフレーム１３２の上部に、この開口部を覆うように載置されている。光源７７による原稿の照明および原稿からの反射光の読取りはスリットガラス１３１を介して行われるようになっている。フレーム１３２の長手方向一端部は、ネジ１４２により本体２１の上面に固定されている。また、フレーム１３２の長手方向他端部は、この長手方向他端部が長手方向に移動することができるよう、段付ネジ１４１により本体２１の上面に固定されている。なお、スリットガラス１３１の周縁部は、樹脂等から構成される図示しない保持部材により上側から覆われている。
【００８４】
段付ネジ１４１に挿通されるフレーム１３２のネジ穴１３２ａは、フレーム１３２の短手方向における幅が段付ネジ１４１の外径と略等しく、フレーム１３２の長手方向における幅が段付ネジ１４１の外径よりも大きい長円形状に形成されている。
【００８５】
このため、段付ネジ１４１が挿通される側のフレーム１３２の端部は、フレーム１３２の膨張および収縮に応じてフレーム１３２の長手方向に移動することができる。
【００８６】
なお、ネジ穴１３２ａの形状は、フレーム１３２の短手方向に段付ネジ１４１と略同径の短軸を有するとともに、フレーム１３２の長手方向に段付ネジ１４１の外径よりも大きな長軸を有する楕円形状であってもよい。また、ネジ穴１３２ａの形状は、フレーム１３２の短手方向に段付ネジ１４１と略同径の短辺を有するとともに、フレーム１３２の長手方向に段付ネジ１４１の外径よりも大きな長辺を有する長方形であってもよい。すなわち、ネジ穴１３２ａの形状は、フレーム１３２の短手方向における幅が段付ネジ１４１の外径と略等しく、フレーム１３２の長手方向における幅が段付ネジ１４１の外径よりも大きいものであれば、上記以外の形状であってもよい。
【００８７】
図９は、本発明の第１の実施の形態に係る画像読取装置および画像形成装置のスリットガラスの断面図である。
【００８８】
図９に示すように、フレーム１３２は、光源７７からの熱により高温となった場合には低温時よりも膨張する。このため、段付ネジ１４１が挿通される側のフレーム１３２の端部は、フレーム１３２の温度が高くなり膨張したときには図９の左側に移動し、フレーム１３２の温度が低くなり収縮したときには図９の右側に移動する。したがって、フレーム１３２を上方または下方に凸形状に変形させる力が発生することがなく、フレーム１３２は常に直線形状を維持することとなる。
【００８９】
次に動作について説明する。
【００９０】
まず、原稿テーブル２４に原稿束Ｐが載置されると、原稿セットセンサ３６がセットフィラー３５を検知した状態から未検知状態に変化するため、コントローラ１００は、底板上昇モータ１０５を上昇させて原稿束Ｐの最上面をピックアップローラ３７に接触させる。
【００９１】
次いで、操作部１０８のプリントキーが押下されると、Ｉ／Ｆ１０７を介して本体制御部１１１からコントローラ１００に原稿給紙信号が送信される。コントローラ１００は、給紙モータ１０２を正転駆動することにより、給紙ベルト３９を時計方向に周回移動させるとともに、リバースローラ４０を時計方向に回転させる。このため、原稿束Ｐから最上位に位置する原稿が分離される。
【００９２】
次いで、レジストセンサ７１が読取開始信号を受信する前に、突き当てセンサ４２が原稿の先端を検知した場合には、コントローラ１００は、予め定められた距離だけ給紙モータ１０２を駆動して給紙ベルト３９を周回移動させて原稿を予め定められた距離だけ搬送することにより、原稿の先端を突き当てローラ４１に突き当て、原稿が予め定められた一定量の撓みを持って押し当てられた状態にして原稿のスキューを矯正する。
【００９３】
次いで、コントローラ１００は、給紙モータ１０２の駆動を停止した後、ピックアップモータ１０１の駆動を停止し、ピックアップモータ１０１を再度回転させてピックアップローラ３７を原稿束Ｐの上面から退避させる。
【００９４】
次いで、コントローラ１００は、給紙モータ１０２を逆転駆動させる。このとき、ピックアップローラ３７と給紙ベルト３９が停止されるとともに、突き当てローラ４１および中間ローラ４３が駆動され、原稿がスリットガラス１３１に向かって搬送される。
【００９５】
次いで、入口センサ４６によって原稿の先端が検知されると、コントローラ１００は、１枚目の原稿が分離給紙されたものと判断し、原稿の搬送速度と読取搬送速度とを等しくするために給紙モータ１０２を減速駆動するとともに、原稿の先端を読取入口ローラ４５に突き当て、原稿が予め定められた一定量の撓みを持って読取入口ローラ４５に押し当てられた状態にして原稿のスキューを矯正するとともに、このときの原稿の先端の位置をレジスト停止位置としてＩ／Ｆ１０７を介して本体制御部１１１にレジスト停止信号を送信する。
【００９６】
次いで、コントローラ１００は、読取開始信号を受け取ると、読取モータ１０３を駆動して読取入口ローラ４５を回転させて、原稿をスリットガラス１３１に向けて搬送する。
【００９７】
次いで、コントローラ１００は、読取モータ１０３のパルスカウントにより検出された原稿の先端がスリットガラス１３１の上方に到達するタイミングで、本体制御部１１１に対して第１面の副走査方向有効画像領域を示すゲート信号を送信する。ゲート信号は、原稿の後端がスリットガラス１３１を抜けるまで継続して送信される。このようにして、スリットガラス１３１の下方に設けられた読取り部８１によって原稿の一方の面が読取られる。
【００９８】
なお、コントローラ１００は、１枚目の原稿の読取りに先立って、駆動機構１０９によって第１キャリッジ１２１および第２キャリッジ１２２を駆動して光源７７および反射ミラー７８ａ〜７８ｃを図６に破線で示すように白基準板７５の下方側に移動し、光源７７を点灯して白基準板７５に光源７７から光を照射し、白基準板７５からの反射光を反射ミラー７８ａ〜７８ｃを介して集光レンズ７９で集光した後、イメージセンサ８０で読取ってシェーディング補正のための白基準データを取得する。その後、コントローラ１００は、第１キャリッジ１２１および第２キャリッジ１２２を駆動して光源７７および反射ミラー７８ａ〜７８ｃを図６に実線で示すようにスリットガラス１３１の下方側に移動させてから、搬送される原稿を読取るようになっている。
【００９９】
次いで、コントローラ１００は、給紙モータ１０２を逆転させて原稿テーブル２４に載置された後続する原稿の給紙を開始する。このとき、原稿の先端が突き当てセンサ４２によって検知されると、コントローラ１００は、予め定められた距離だけ原稿を搬送する。
【０１００】
次いで、コントローラ１００は、原稿の先端が突き当てローラ４１を抜けたときに給紙モータ１０２を正転駆動して、突き当てローラ４１および中間ローラ４３の回転を停止するが、このときには中間ローラ４３は読取モータ１０３の駆動によって読取入口ローラ４５等の読取搬送系のローラと略同一の線速で駆動されている。また、このときに、後続する原稿の先端が突き当てローラ４１に突き当てられてスキューが矯正される。
【０１０１】
ここで、片面原稿読取りの場合には、第１読取搬送部２８を通過した原稿が第２読取搬送部２９を経て排紙部３０に搬送されるが、コントローラ１００は、排紙センサ７４によって原稿の先端を検知すると、排紙モータ１０４を正転駆動して排紙ローラ７３を反時計方向に回転させる。
【０１０２】
また、コントローラ１００は、排紙センサ７４が原稿の先端を検知してからの排紙モータ１０４のパルスを計数することにより、原稿の後端が排紙ローラ７３の駆動ローラ７３ａおよび従動ローラ７３ｂのニップから抜ける直前に排紙モータ１０４の駆動速度を減速させて、スタック部３１に排出される原稿が飛び出さないように制御する。
【０１０３】
また、第２の読取りモード時に、読取り部８１によって搬送される原稿を連続して読取る場合には、光源７７の照度を一定に保つために、光源７７は連続して点灯される。光源７７が連続して点灯された場合には、光源７７の熱によりフレーム１３２が高温となって膨張するが、段付ネジ１４１が挿通される側のフレーム１３２の端部は、フレーム１３２の膨張および収縮に応じてフレーム１３２の長手方向に移動することができるので、フレーム１３２を上方または下方に凸形状に変形させる力が発生することがなく、フレーム１３２は常に直線形状を維持することとなる。
【０１０４】
以上のように、本実施の形態に係る画像読取装置は、フレーム１３２の長手方向一端部を、該一端部がフレーム１３２の長手方向および短手方向に移動しないよう本体２１に固定するネジ１４２と、フレーム１３２の長手方向他端部を、該他端部がフレーム１３２の長手方向に移動できるよう本体２１に固定する段付ネジ１４１とネジ穴１３２ａとを備えたので、スリットガラス１３１を支持するフレーム１３２の長手方向一端部を、ネジ１４２により、該一端部がフレーム１３２の長手方向および短手方向に移動しないよう本体２１に固定し、フレーム１３２の長手方向他端部を、段付ネジ１４１とネジ穴１３２ａとにより該他端部がフレーム１３２の長手方向に移動できるよう筺体に固定したので、光源７７の発する熱によりフレーム１３２の温度が上昇し熱膨張した際に、フレーム１３２の長手方向他端部が長手方向に移動することができるため、フレーム１３２が湾曲して凸形状となることがない。したがって、スリットガラス１３１を支持するフレーム１３２が光源７７の発する熱により変形することを防止することができる。また、フレーム１３２が湾曲して凸形状となることがないため、フレーム１３２が周辺の第１キャリッジ１２１や第２キャリッジ１２２等の他の部材に接触したり、スリットガラス１３１の位置がずれることを防止することができる。
【０１０５】
また、本実施の形態に係る画像読取装置は、本体２１に螺合する段付ネジ１４１と、フレーム１３２に設けられ、フレーム１３２の短手方向における幅が段付ネジ１４１の外径と略等しく形成されるとともにフレーム１３２の長手方向における幅が段付ネジ１４１の外径よりも大きく形成されたネジ穴１３２ａとにより、フレーム１３２の長手方向他端部が本体２１に固定されるので、フレーム１３２の長手方向におけるネジ穴１３２ａの幅が段付ネジ１４１の外径よりも大きく形成されているため、フレーム１３２が光源７７の熱により長手方向に膨張しても、フレーム１３２の長手方向他端部が移動することができ、また、フレーム１３２の短手方向におけるネジ穴１３２ａの幅が段付ネジ１４１の外径と略等しく形成されているため、フレーム１３２の短手方向の位置を一定に保つことができる。したがって、フレーム１３２の位置を一定に保つことができるとともに、フレーム１３２が光源７７の発する熱により変形することを防止することができる。
【０１０６】
また、本実施の形態に係る画像読取装置は、フレーム１３２が金属からなるので、フレーム１３２を樹脂等から構成した場合よりも、熱による膨張および塑性変形を少なくすることができる。
【０１０７】
また、本実施の形態に係る画像形成装置は、上記構成を有する画像読取装置を備えているので、スリットガラス１３１を支持するフレーム１３２が光源７７の発する熱により変形することを防止することができる。
（第２の実施の形態）
図１０は、本発明の第２の実施の形態に係る画像読取装置および画像形成装置のスリットガラスの端部の拡大図である。なお、第１の実施の形態と同様の構成には同一の符号を付して説明を省略する。
【０１０８】
図１０に示すように、スリットガラス１３１のフレーム１３２の一端部に係合突起１３２ｃを有するとともに、本体２１の上面に係合突起１３２ｃが係合する係合穴２１ａを有している。なお、フレーム１３２の他端部は、第１の実施の形態と同様にネジ１４２により本体２１の上面に固定されている。すなわち、本実施の形態では、第１の実施の形態における段付ネジ１４１とネジ穴１３２ａに代わって、係合突起１３２ｃと係合穴２１ａが設けられている。
【０１０９】
係合突起１３２ｃが係合される本体２１の係合穴２１ａは、フレーム１３２の短手方向における幅が係合突起１３２ｃの幅と略等しく、フレーム１３２の長手方向における幅がフレーム１３２の厚みよりも大きい長円形状に形成されている。
【０１１０】
このため、段付ネジ１４１が挿通される側のフレーム１３２の端部は、フレーム１３２の膨張および収縮に応じてフレーム１３２の長手方向に移動することができる。
【０１１１】
以上のように、本実施の形態に係る画像読取装置は、フレーム１３２の長手方向一端部を、該一端部がフレーム１３２の長手方向および短手方向に移動しないよう本体２１に固定するネジ１４２と、フレーム１３２の長手方向他端部を、該他端部がフレーム１３２の長手方向に移動できるよう本体２１に固定する係合突起１３２ｃおよび係合穴２１ａとを備えたので、光源７７の発する熱によりフレーム１３２の温度が上昇し熱膨張した際に、フレーム１３２の長手方向他端部が長手方向に移動することができるため、フレーム１３２が湾曲して凸形状となることがない。したがって、スリットガラス１３１を支持するフレーム１３２が光源７７の発する熱により変形することを防止することができる。また、フレーム１３２が湾曲して凸形状となることがないため、フレーム１３２が周辺の第１キャリッジ１２１や第２キャリッジ１２２等の他の部材に接触したり、スリットガラス１３１の位置がずれることを防止することができる。
（第３の実施の形態）
図１１は、本発明の第３の実施の形態に係る画像読取装置および画像形成装置のスリットガラスの上面図である。図１２は、本発明の第３の実施の形態に係る画像読取装置および画像形成装置のスリットガラスの端部の拡大図である。なお、第１の実施の形態および第２の実施の形態と同様の構成には同一の符号を付して説明を省略する。
【０１１２】
図１１、図１２に示すように、本実施の形態では、フレーム１３２の長手方向一端部（図１１の右側端部）をネジ１４２で本体２１に固定し、フレーム１３２の長手方向他端部（図１１の左側端部）において、フレーム１３２が短手方向に分割されるよう切り込み１３２ｅを形成している。また、フレーム１３２の切り込み１３２ｅよりも光源７７に近い側を段付ネジ１４１により本体２１の上面にネジ留めしている。また、フレーム１３２の切り込み１３２ｅに対して光源７７から遠い側をネジ１４２により本体２１の上面に固定している。
【０１１３】
段付ネジ１４１に挿通されるフレーム１３２のネジ穴１３２ａは、フレーム１３２の短手方向における幅が段付ネジ１４１の外径と略等しく、フレーム１３２の長手方向における幅が段付ネジ１４１の外径よりも大きい長円形状に形成されている。
【０１１４】
このため、段付ネジ１４１が挿通される側のフレーム１３２の端部は、フレーム１３２の膨張および収縮に応じてフレーム１３２の長手方向に移動することができる。
【０１１５】
すなわち、上記構成は、第１の実施の形態において、フレーム１３２の長手方向他端部において、フレーム１３２が短手方向に分割されるよう切り込み１３２ｅを形成するとともに、フレーム１３２の切り込み１３２ｅよりも光源７７に近い側を段付ネジ１４１により本体２１の上面にネジ留めし、フレーム１３２の切り込み１３２ｅに対して光源７７から遠い側をネジ１４２により本体２１の上面に固定したものとなっている。
【０１１６】
フレーム１３２の光源７７に近い側は光源７７からの熱を受けて高温となって膨張し、光源７７から遠い側は低温のままであるのでほとんど膨張しないので、切り込み１３２ｅによりフレーム１３２の長手方向他端部を短手方向に分割し、フレーム１３２の光源７７に近い側の一端部のみが長手方向に移動できるようになっている。
【０１１７】
図１３は、本発明の第３の実施の形態に係る画像読取装置および画像形成装置のスリットガラスの他の例を示す上面図である。
【０１１８】
図１３に示すように、フレーム１３２の長手方向両端部において、フレーム１３２が短手方向に分割されるよう切り込み１３２ｅ、１３２ｆを形成してもよい。
【０１１９】
図１４は、本発明の第３の実施の形態に係る画像読取装置および画像形成装置のスリットガラスの端部の他の例を示す拡大図である。
【０１２０】
図１４に示すように、フレーム１３２の一端部に係合突起１３２ｃを形成するとともに、本体２１の上面に係合突起１３２ｃが係合する係合穴２１ａを形成し、フレーム１３２の他端部をネジ１４２により本体２１の上面に固定するように構成してもよい。
【０１２１】
以上のように、本実施の形態に係る画像読取装置は、フレーム１３２が、フレームの長手方向の一端部または両端部においてフレーム１３２の短手方向に分割されているので、分割したフレーム１３２のうち光源７７に近い側と光源７７から遠い側との間の温度差により、フレーム１３２が変形することを防止することができる。
【０１２２】
また、本実施の形態に係る画像読取装置は、第２の固定手段としての段付ネジ１４１とネジ穴１３２ａ、または、第２の固定手段としての係合突起１３２ｃおよび係合穴２１ａが、分割されたフレーム１３２の光源７７に近い側に配置されているので、光源７７からの熱による膨張するのは、分割したフレーム１３２のうち光源７７に近い側であるが、光源７７に近い側のフレーム１３２の長手方向他端部が移動することができるので、フレーム１３２が変形することを防止することができる。
【産業上の利用可能性】
【０１２３】
以上説明したように、本発明に係る画像読取装置および画像形成装置は、スリットガラスを支持する支持部材が光源の発する熱により変形することを防止することができるという効果を有し、スキャナー装置等の画像読取装置およびこの画像読取装置を搭載した複写機、ファクシミリ装置等の画像読取装置等として有用である。
【図面の簡単な説明】
【０１２４】
【図１】本発明の第１の実施の形態に係る画像読取装置および画像形成装置の概略構成図である。
【図２】本発明の第１の実施の形態に係る画像読取装置および画像形成装置のＡＤＦの概略構成図である。
【図３】本発明の第１の実施の形態に係る画像読取装置および画像形成装置の駆動系のブロック図である。
【図４】本発明の第１の実施の形態に係る画像読取装置および画像形成装置の画像形成部の構成図である。
【図５】本発明の第１の実施の形態に係る画像読取装置および画像形成装置の読取り部の構成図である。
【図６】本発明の第１の実施の形態に係る画像読取装置および画像形成装置の読取り部の拡大図である。
【図７】本発明の第１の実施の形態に係る画像読取装置および画像形成装置のスリットガラスの斜視図である。
【図８】本発明の第１の実施の形態に係る画像読取装置および画像形成装置のスリットガラスの端部の拡大図である。
【図９】本発明の第１の実施の形態に係る画像読取装置および画像形成装置のスリットガラスの断面図である。
【図１０】本発明の第２の実施の形態に係る画像読取装置および画像形成装置のスリットガラスの端部の拡大図である。
【図１１】本発明の第３の実施の形態に係る画像読取装置および画像形成装置のスリットガラスの上面図である。
【図１２】本発明の第３の実施の形態に係る画像読取装置および画像形成装置のスリットガラスの端部の拡大図である。
【図１３】本発明の第３の実施の形態に係る画像読取装置および画像形成装置のスリットガラスの他の例を示す上面図である。
【図１４】本発明の第３の実施の形態に係る画像読取装置および画像形成装置のスリットガラスの端部の他の例を示す拡大図である。
【図１５】従来の画像読取装置のスリットガラスの斜視図である。
【図１６】（ａ）は、従来の画像読取装置の平温時のスリットガラスの断面図であり、（ｂ）、（ｃ）は、従来の画像読取装置の高温時のスリットガラスの断面図である。
【符号の説明】
【０１２５】
２０  複写機（画像形成装置）
２１  本体（筺体）
２３  スリットガラス
７７  光源
８１  読取り部（読取り手段、画像読取装置）
１３１  スリットガラス
１３２  フレーム
１３２ａ  ネジ穴（第２の固定手段）
１４１  段付ネジ（第２の固定手段）
１４２  ネジ（第１の固定手段）
【図１】
0004898714.tif 000002
【図２】
0004898714.tif 000003
【図３】
0004898714.tif 000004
【図４】
0004898714.tif 000005
【図５】
0004898714.tif 000006
【図６】
0004898714.tif 000007
【図７】
0004898714.tif 000008
【図８】
0004898714.tif 000009
【図９】
0004898714.tif 000010
【図１０】
0004898714.tif 000011
【図１１】
0004898714.tif 000012
【図１２】
0004898714.tif 000013
【図１３】
0004898714.tif 000014
【図１４】
0004898714.tif 000015
【図１５】
0004898714.tif 000016
【図１６】
0004898714.tif 000017